(57)【要約】【課題】  従来の技術では、コンテンツの保護レベルをアクセスするユーザの情報に応じて切り替えていたが、通信手段により自動的に保護レベルを切り替える機能を持つ装置が実現できなかった。【解決手段】  前記課題を解決するため、本発明は、例えば、携帯端末に、既知の映像情報記録機能や、暗号化機能、通信機能を備え、特に通信手段を判定する機能と、それに応じたセキュリティレベル設定を備える。また、前記通信状況を画面に画面やアイコンを用いて表示する機能を備える。これにより、使い勝手の良い、セキュリティレベル切り替え機能を持つ携帯端末が実現できる。【選択図】  図１
2006157470.tif 000002
【特許請求の範囲】
【請求項１】
通信手段を有する携帯端末であって、
有線接続か無線接続かに応じて、データを保護する範囲を変更することを特徴とする携帯端末。
【請求項２】
請求項１に記載の携帯端末であって、
通信手段によりコンテンツ情報を送信する際、前記コンテンツが暗号化されているか否かで、データを保護する範囲を変更することを特徴とする携帯端末。
【請求項３】
通信手段を有する携帯端末あって、
有線接続か無線接続かに応じて、データの保護する方法を変更することを特徴とする携帯端末。
【請求項４】
請求項３に記載の携帯端末であって、
通信手段によりコンテンツ情報を送信する際、前記コンテンツが暗号化されているか否かで、データを保護する方法を変更することを特徴とする携帯端末。
【請求項５】
請求項１乃至４のいずれかに記載の携帯端末であって、
映像を撮影できるカメラを有することを特徴とする携帯端末。
【請求項６】
請求項５に記載の携帯端末であって、
前記カメラにより撮影される映像の被写体の動きを検出する手段と、
前記被写体の動きに関する情報をコンテンツ情報として記録する手段とを有し、
通信手段で映像データを送信する際に、データ保護を要する場合、被写体にマスク等の画像処理を加えて伝送することを特徴とする携帯端末。
【請求項７】
請求項５又は６に記載の携帯端末であって、
データ保護する範囲をいくつかのレベル単位で設定する機能を有し、
有線接続や無線接続、暗号化通信といった通信手段に応じて予め設定されているレベル（以下セキュリティレベル）を自動的に切り替えることでデータを保護する範囲を変更する機能を有する携帯端末。
【請求項８】
請求項５乃至７のいずれかに記載の携帯端末であって、
通信時にセキュリティレベルをユーザが随時確認できるように画面表示することを特徴とする携帯端末。
【請求項９】
請求項５乃至７のいずれかに記載の携帯端末であって、
通信時にその手段（有線／無線、暗号化されたデータか否か）をユーザが確認できるように画面に表示することを特徴とする携帯端末。
【請求項１０】
請求項５乃至７のいずれかに記載の携帯端末であって、
通信時にユーザが画面表示で確認しながらセキュリティレベルを変更できる機能を有する携帯端末。
【請求項１１】
請求項１０に記載の携帯端末であって、
通信機能利用開始時にセキュリティレベル設定画面を表示し、ユーザによる設定を可能とすることを特徴とする携帯端末。
【発明の詳細な説明】
【技術分野】
【０００１】
本発明は、通信手段を有する携帯端末に係り、特に、ビデオカメラ等、表示装置と、操作用ボタンを備える装置に関する。
【背景技術】
【０００２】
従来の映像記録再生装置では、以下に示す文献のように、機器の利用状況に応じてパスワードを切り替え情報を保護するためのユーザ認証方式に関する技術や装置があった。
【０００３】
【特許文献１】特開２００１−３１２４７２号公報
【発明の開示】
【発明が解決しようとする課題】
【０００４】
上記従来技術では、アクセスするユーザに関わらず接続状況に応じて共通して利用するセキュリティに関して使い勝手の良い機能についは考慮されていなかった。また、ユーザに状況をより分かりやすく伝えるためのＧＵＩについても提案されていなかった。
【課題を解決するための手段】
【０００５】
特許請求の範囲に記載の発明により、上記課題は解決される。
【発明の効果】
【０００６】
本願発明により、使い勝手の向上した携帯端末を提供することができる。
【発明を実施するための最良の形態】
【０００７】
以下、本発明の実施例を説明する。ここでは、本発明をビデオカメラに適用した実施例で説明する。図１は、このビデオカメラとネットワークとの接続を示す構成図である。
【０００８】
図１において、１００は携帯端末の一つであるビデオカメラ、１０１はクライアント、１０２はネットワークを示す。システム制御回路１０３はCPUやメモリを持ち、システム全体を制御する。図示はしないが、一般的にユーザがボタン等を操作する際の入力情報も、システム制御回路１０３が処理する。１０４のカメラ制御回路は、記録時に映像データを取得し、CODEC(COmpression/DECompression)回路１０５へデータを渡す。１０５のCODEC回路は、MPEG(Moving Picture Experts Group)やJPEG(Joint Photographic coding Experts Group)と言った画像圧縮を行う。また、システム制御回路１０３とCODEC回路１０５で、動画のフレーム間の差分が大きく変動した場合にシーンが変わったと認識する機能を実現する。前記動画のフレーム間の差分については、画面全体をマトリックス状にいくつかのブロックに分けて、各ブロック毎に差分を取る方式が一般的である。本発明では、特に被写体に相当すると思われる領域についての差分を判定し、被写体が動いたと認識する。以降これを動き検出という。CODEC回路１０５にて圧縮された映像データは、記録制御回路１０６にて、記録媒体１０７のDVD(Digital Versatile Disc)に記録される。なお、本実施形態において、書き込むための記録媒体は、DVDであるものとして説明をするが、本発明はこれに限らず、ハードディスク、MD(Mini Disc)、CD(Compact Disc)、磁気ディスク、半導体メモリなど、情報を記録する記録媒体に適応することができる。記録時のカメラ制御回路１０４にて取得できる映像データや、再生時に記録媒体１０７から記録制御回路１０６が読み出したデータをCODEC回路１０５にてデコード(伸張)処理した映像データを、表示制御回路１０８にて表示装置１０９へ出力する。ネットワーク制御回路１１０は、前記映像データや、記録されたデータをネットワーク伝送する処理を行う。これにより、ビデオカメラ１００の扱うデータを取得するために、ネットワーク接続される携帯電話や、PDA、PCと言った機器（クライアント１０１）からアクセスすることが可能となる。
【０００９】
図２は、本発明を適用した一実施形態であるビデオカメラにおいて、映像データと、その関連情報を記録する際のファイル構成を示すものである。なお、特に明示しない場合、音声データについても映像データと同様に扱われる。
【００１０】
図２において、２００は映像管理ファイルを示し、２０１は管理ヘッダ情報を示し、２００が映像管理ファイルであることを識別するための情報が格納される。２０２はインデックス情報を示し、後述する映像ファイルに関する、記録日時や、シーンを区別するための情報が格納される。２１０は映像ファイルを示し、２１１は映像ヘッダ情報を示し、２１０が映像ファイルであることを識別するための情報が格納される。２１２は映像データをCODEC回路１０５にて圧縮されたストリームデータが格納される。（一般的にMPEG圧縮された映像をストリームと表現する。）２２０はコンテンツ情報ファイルを示し、２２１はコンテンツ情報を示す。コンテンツ情報としては、例えば、映像データを記録あるいは編集を行った著作者に関する情報や、被写体に関する情報、前述の動き検出に関する情報、その他タイトルやコメント等の情報を格納する。
【００１１】
図３は、本発明を適用した一実施形態であるビデオカメラにおいて、クライアントからのアクセスに応じて情報提供する際に利用する、セキュリティレベルの設定例を示している。
【００１２】
図３において、３００はセキュリティレベル設定一覧を示す。３０１の列は、セキュリティレベルの定義を示し、３０２の列は、各セキュリティレベルに応じたアクセス範囲や、条件を示す。３０３の列は、各セキュリティレベルに応じて画面に表示されるアイコンのイメージ例と、表示時の組み合わせの例を示したものである。
【００１３】
例えば、セキュリティレベル１は、無線によるアクセスがされる場合で、プライバシに関わる情報を除く、一部のコンテンツ情報と、動き検出情報に基づいて既知の手法により映像の一部をマスク加工し、音声を削除したストリームデータを送信する設定を示す。
【００１４】
セキュリティレベル２は、無線によるアクセスの場合で、何らかの暗号化処理が加えられたアクセスもしくは、有線によるアクセスの場合で、プライバシに関わる情報を除く、一部のコンテンツ情報と、特に制限をかけないストリームデータを送信する設定を示す。
【００１５】
セキュリティレベル３は、有線で且つ、何らかの暗号化処理が加えられたアクセスの場合で、全てのコンテンツ情報と、全てのストリームデータを送信する設定を示す。
【００１６】
上記は本発明による一実施例での設定だが、適用する機器や、そのユーザに合わせた設定が用意されるべきである。
【００１７】
次に、本発明を適用した一実施形態であるビデオカメラにおいて、クライアント１０１とのアクセス時の動作フローについて、図４を用いて説明する。
【００１８】
クライアント１０１と通信開始され、Ｓ４００にてクライアント１０１からのコンテンツ情報取得要求を受信する。これは、ネットワーク１０２からのデータを、有線ネットワーク制御回路１１０あるいは、無線ネットワーク制御回路１１１が受け、暗号化されたデータの場合、直接暗号化／複合化回路１１２にて複合化されるか、あるいは、システム制御回路１０３を経由して暗号化／複合化回路１１２にて複合化される。Ｓ４０１にてシステム制御回路１０３が通信条件を判定し、例えば、前述のセキュリティレベルを設定する。セキュリティレベル２，３の場合、Ｓ４０２にてシステム制御回路１０３が記録制御回路１０６経由でディスク１０７からコンテンツ情報を取り出し、セキュリティレベルに応じた範囲でコンテンツ情報を抽出する。セキュリティレベル１の場合、システム制御回路１０３が記録制御回路１０６経由でディスク１０７からコンテンツ情報を全て取り出す。Ｓ４０４にてシステム制御回路１０３が、クライアントとのアクセス方式に合わせて、有線ネットワーク制御回路１１０あるいは、無線ネットワーク制御回路１１１と、必要に応じて、暗号化／複合化回路１１２を経由して、ネットワーク１０２、クライアント１０１へコンテンツ情報を送信する。次いで、Ｓ４０５にてクライアント１０１からのストリームデータ取得要求をＳ４００と同様の手順で受信し、Ｓ４０６にてシステム制御回路１０３が通信条件を判定し、セキュリティレベル１の場合、Ｓ４０７にてシステム制御回路１０３が記録制御回路１０６経由でディスク１０７からストリームデータを取り出し、必要に応じてCODEC回路１０５を利用し、映像音声に制限処理を施す。Ｓ４０８にてシステム制御回路１０３が、Ｓ４０４と同様の手順でストリームデータを送信する。Ｓ４０９にてシステム制御回路１０３が、クライアント１０１からの要求の有無から通信終了か否かを判定する。通信が継続される場合は、Ｓ４０５からの処理が繰り返される。
【００１９】
図５、図６は、本発明を適用した一実施形態であるビデオカメラにおいて、クライアントからのアクセス時の表示画面例を示している。
【００２０】
図５、図６において、５００は画面表示領域を示す。５０１は、セキュリティレベルについて表示している。図中の例では、現在のセキュリティレベルが２であることを示している。５０２は、通信経路が有線か無線かをアイコンで示したものである。図中の例では、図３に示したように現在の通信が無線にて行われていることを示している。５０３は、通信に暗号化処理が施されているか否かをアイコンで示したものである。図中の例では、図３に示したように現在の通信において暗号化処理が施されていることを示している。
【００２１】
図６は、クライアントからのアクセス時に、ユーザによるセキュリティレベル設定を可能とする設定画面の例を示したものである。
【００２２】
図６において、６００はセキュリティレベル設定ダイアログを示している。ユーザは機器の持つ入力手段を利用し、通信状況に関わらずセキュリティレベルを設定することが可能である。
【００２３】
次に、本発明を適用した一実施形態であるビデオカメラにおいて、クライアント１０１とのアクセス時の画面表示や、前述のユーザによるセキュリティ設定に関わる動作フローについて、図７を用いて説明する。
【００２４】
クライアント１０１と通信開始され、あるいは、特にビデオカメラの設定メニュー中から選択されてセキュリティレベルを設定する場合、Ｓ７００にてシステム制御回路１０３が現在の通信状況を判定し、既にセキュリティレベル設定がされている場合はそれを採用し、Ｓ７０１にてシステム制御回路１０３が、表示制御回路１０８、表示装置１０９を利用し、画面表示更新を行う。Ｓ７０２にてシステム制御回路１０３が、セキュリティレベルのユーザ設定モードと判定し、Ｎｏと判定した場合は、設定せず終了もしくは、図４にて説明した通信を行う。Ｓ７０２にてＹｅｓと判定された場合は、Ｓ７０３以降のステップの処理を行う。Ｓ７０３にてシステム制御回路１０３が、表示制御回路１０８、表示装置１０９を利用し、先に取得したセキュリティレベルの情報から設定ダイアログを画面表示する。Ｓ７０４にてユーザからの入力をシステム制御回路１０３が判断し、Ｓ７０５にてシステム制御回路１０３がユーザの選択に応じたセキュリティレベルの設定を行う。続いて、Ｓ７０６にてＳ７０１と同様の手順で画面の表示を更新する。
【００２５】
上記により、通信状況によって自動的に、あるいはユーザ所望のセキュリティレベルに応じたコンテンツアクセスを実現し、また、一目でその通信状況が識別できる、使い勝手の良いビデオカメラを実現できる。
【００２６】
すなわち、通信手段を有するビデオカメラにおいて、通信状況に応じて、送信する情報を抽出する機能と、映像や音声を加工する機能を備え、通信状況を表示する機能を備えることで使い勝手の向上したビデオカメラを提供できる。
【００２７】
なお、これまでの実施例では、ビデオカメラを例にして説明してきたが、これに限らず、外部装置と通信できる通信手段を有する携帯端末に上記実施例を適用できる。また、保護するデータは、映像や音声に限定されず、文字などの文書データであっても良い。ただし、上記のようにビデオカメラに適用した例の方が、特定個人の映像データであるため、よりプライベートな情報である可能性が高く、上記実施例を適用したより良い好例である。
【図面の簡単な説明】
【００２８】
【図１】図１は、本発明の一実施形態であるビデオカメラの構成図である。
【図２】図２は、本発明の一実施形態であるビデオカメラで扱う、ファイルの構成を示す図である。
【図３】図３は、本発明の一実施形態であるビデオカメラで扱う、セキュリティレベル設定の定義の一例を示した図である。
【図４】図４は、本発明の一実施形態であるビデオカメラによる、通信時の動作フローを示した図である。
【図５】図５は、本発明の一実施形態であるビデオカメラによる、通信状況に関する情報の画面表示例を示した図である。
【図６】図６は、本発明の一実施形態であるビデオカメラによる、通信状況に関する情報の画面表示と、セキュリティレベル設定ダイアログの画面表示例を示した図である。
【図７】図７は、本発明の一実施形態であるビデオカメラによる、通信開始時あるいは、ユーザによるセキュリティレベル設定時の動作フローを示した図である。
【符号の説明】
【００２９】
１００…ビデオカメラ、１０１…クライアント、１０２…ネットワーク、１０３…システム制御回路、１０４…カメラ制御回路、１０５…CODEC回路、１０６…記録制御回路、１０７…DVD、１０８…表示制御回路、１０９…表示装置、１１０…有線ネットワーク制御回路、１１１…無線ネットワーク制御回路、１１２…暗号化／複合化回路。
【図１】
2006157470.tif 000003
【図２】
2006157470.tif 000004
【図３】
2006157470.tif 000005
【図４】
2006157470.tif 000006
【図５】
2006157470.tif 000007
【図６】
2006157470.tif 000008
【図７】
2006157470.tif 000009